(57)【要約】      （修正有）【課題】キャスター付スツールの座部を使用しながら、収納部から必要な物品を出し入れすることができ、２座席用キャスター付スツールとしても使用可能することができ、狭い病室等にも常備できるキャスター付スツールを提供する。【解決手段】スツールの枠体２２の上部に固定座部を設け、固定座部の下部には底面板２６の底面に複数のキャスター６１、６２を設けたスツールであって、固定座部と底面板２６との空間には収納部を有する収納引出部４を設け、収納引出部４は固定座部の側面３２から進退自在とし、収納引出部４を引き出して上面開口から必要な物品を出し入れし、２人用スツールとする場合は、収納引出部４の上面開口には上面開口を覆うような回動座部５を設け、固定座部の側面に回動座部５が並べて固定するようにした２人用の座部が形成されるキャスター付スツール。【選択図】図８
2014239899.tif 000002
【特許請求の範囲】
【請求項１】
スツールの枠体の上部に固定座部を設け、該固定座部の下部には底面板の底面に複数のキャスターを設けたスツールであって、
前記固定座部と前記底面板との空間には収納部を有する収納引出部を設け、  前記収納引出部は前記固定座部の側面から進退自在とし、
該収納引出部を引き出して上面開口から必要な物品を出し入れするとともに、２人用スツールとする場合は、前記収納引出部の上面開口には該上面開口を覆うような回動座部を設け、前記固定座部の側面に前記回動座部が並べて固定するようにした２人用の座部が形成されることを特徴とするキャスター付スツール。
【請求項２】
前記収納引出部の引出側の底部には１対のキャスターを設けたことを特徴とする請求項１に記載のキャスター付スツール。
【請求項３】
前記収納引出部を前記枠体に収納する際には、前記収納引出部と該固定座部側とにロック機構を設けて該収納引出部の移動を阻止することを特徴とする請求項１又は２に記載のキャスター付スツール。
【請求項４】
前記回動座部は収納引出部の前面部の上部先端を中心に回動する回動機構を設けたことを特徴とする請求項１又は２又は３に記載のキャスター付スツール。
【請求項５】
前記収納引出部には所定距離を引き出した際には、それ以上の移動することを阻止する移動阻止機構を設けるとともに、前記回動座部を反転回動して前記固定座部と前記回動座部を並んで嵌合して該収納引出部の退避することも阻止して、前記収納引出部を固定することを特徴とする請求項１又は２又は３又は４に記載のキャスター付スツール。
【発明の詳細な説明】
【技術分野】
【０００１】
本発明は背もたれとひじ掛けのない腰掛けであるキャスター付スツール、特に、収納部を有するとともに、１座席用キャスター付スツールを２座席用キャスター付スツールとして使用可能するキャスター付スツールに関するものである。
【背景技術】
【０００２】
従来より、背もたれとひじ掛けのない腰掛けであるキャスター付スツールは、特許文献１に示すように、クッション等を設けた座部を開閉自在として、座部の下の空間に収納部を設けたものが知られている。
また、座席シート下の空間を収納物とし、座席シートを開閉自在とはせずに座席シートの側部に開閉扉を設けたスツールも、特許文献２として提案されている。
【先行技術文献】
【特許文献】
【０００３】
【特許文献１】特開２００８−７９６７８号公報
【特許文献２】実公平８−９１７号公報
【発明の概要】
【発明が解決しようとする課題】
【０００４】
ところで、従来の特許文献１等に開示される座部を開閉するキャスター付スツールは、収納部から必要な物品を出し入れするには、座部は使用できないといった問題点があり、また、特許文献２等に開示される座部の側面に開閉扉を設けるタイプは、上からの開口面積が小さく、収納部から必要な物品を出し入れするには開口面積が不充分であるといった問題点があった。
また、キャスター付スツールはスツールが移動し易いので、大きな引出部を設けると、キャスター付スツールも移動してしまうといった問題点もあった。
さらに、病院の病室等に常備する椅子やスツールは、スペースが狭いことから大型にすることができず、また、一人分の椅子しか用意していないのが一般的である。
本発明の課題は、このような問題点に鑑みてなされたもので、キャスター付スツールの座部を使用しながら、収納部から必要な物品を出し入れすることができ、スツールがさらに必要な場合でも、座席用キャスター付スツールを２座席用キャスター付スツールとして使用可能にすることができ、狭い病室等にも常備できるキャスター付スツールを提供しようとするものである。
【課題を解決するための手段】
【０００５】
上記課題を解決するために、請求項１の発明は、スツールの枠体の上部に固定座部を設け、該固定座部の下部には底面板の底面に複数のキャスターを設けたスツールであって、
前記固定座部と前記底面板との空間には収納部を有する収納引出部を設け、  前記収納引出部は前記固定座部の側面から進退自在とし、
該収納引出部を引き出して上面開口から必要な物品を出し入れするとともに、２人用スツールとする場合は、前記収納引出部の上面開口には該上面開口を覆うような回動座部を設け、前記固定座部の側面に前記回動座部が並べて固定するようにした２人用の座部が形成されることを特徴とするキャスター付スツールである。
【０００６】
請求項２の発明は、請求項１に記載のキャスター付スツールにおいて、前記収納引出部の引出側の底部には１対のキャスターを設けたことを特徴とする。
請求項３の発明は、請求項１又は２に記載のキャスター付スツールにおいて、前記収納引出部を前記枠体に収納する際には、前記収納引出部と該固定座部側とにロック機構を設けて該収納引出部の移動を阻止することを特徴とする。
【０００７】
請求項４の発明は、請求項１又は２又は３に記載のキャスター付スツールにおいて、前記回動座部は収納引出部の前面部の上部先端を中心に回動する回動機構を設けたことを特徴とする。
請求項５の発明は、請求項１又は２又は３又は４に記載のキャスター付スツールにおいて、前記収納引出部には所定距離を引き出した際には、それ以上の移動することを阻止する移動阻止機構を設けるとともに、前記回動座部を反転回動して前記固定座部と前記回動座部を並んで嵌合して該収納引出部の退避することも阻止して、前記収納引出部を固定することを特徴とする。
【発明の効果】
【０００８】
請求項１のキャスター付スツールの発明によれば、１人用のキャスター付スツールとして使用でき、この場合は、キャスター付スツールの固定座部を使用しながら、収納引出部を側部から引き出すことができ、開口面積を大きくすることが可能な上部開口から必要な物品を出し入れすることが容易となる。
また、複数のキャスターを一括して同時にロック及びロック解除操作を行うキャスター操作レバーを設けているので、スツールの移動と固定が簡単となる。
更に、スツールがさらに必要な場合でも、２座席用キャスター付スツールとして使用可能となり、特に、狭い病室等にも、必要であれば２座席用のキャスター付スツールとして常備できる。
請求項２のキャスター付スツールの発明によれば、収納引出部の引出側の底部には１対のキャスターを設けので、僅かな力でスムースに引き出すことができる。
請求項３のキャスター付スツールの発明によれば、収納引出部と該固定座部側の枠体とにロック機構を設けたので収納引出部が不意に出るようなことを防止することができる。
請求項４のキャスター付スツールの発明によれば、回動座部は収納引出部の前面部の上部先端を中心に回動する回動機構を設けたので、簡単に収納引出部の上部開口を蓋を兼ねた２人用の座部とすることができる。
請求項５のキャスター付スツールの発明によれば、回動座部を反転回動して固定座部と回動座部とを並べるだけで、固定座部を固定して、簡単に２人用のキャスター付スツールとすることができる。
【図面の簡単な説明】
【０００９】
【図１】図１(ａ)は、本発明のキャスター付スツールの実施例を１人用のスツールとして使用する場合のは右側斜視図、図１(ｂ)はその左側斜視図、
【図２】図１の背面図、
【図３】図１の底面図、
【図４】図３の４−４線での拡大断面図、
【図５】図１のキャスター付スツールの実施例で引出収納部を引き出した状態の右側斜視図、
【図６】図５の背面図、
【図７】図５の底面図、
【図８】図７の７−７線での回動座部を反転回動した状態の拡大断面図、
【図９】引出収納部の回動座部を反転回動する作動を説明する説明図である。
【発明を実施するための形態】
【００１０】
本発明のキャスター付スツールの実施例を図面に沿って説明する。
[１人用のキャスター付スツールとして使用する場合]
１人用のキャスター付スツールの場合を図１から図４を用いて説明する。図１〜３は、本発明のキャスター付スツールを、通常の１人用のキャスター付スツールとして使用する場合の図で、図１(a)は右側斜視図、図１(ｂ)は左側斜視図、図２は背面図、図３は底面図である。
図１(ａ),(ｂ)において、キャスター付スツール１は矩形箱形の枠体２の上部に固定座部３を設け、固定座部３の上面はクッション３１を配置し、固定座部３の下部の枠体２は前面板２１と右側面板２２と背面板２３からなり、図１(ｂ)は左側斜視図に示されように、収納引出部４の前面部４１が設けられ、その前面部４１の第１の前面板４１１の前面上側には引出部を手前に引き出す引出把持部４２が、下側には後述する回動座部５を反転させるための反転把持部４３が配置されている。
背面板２３の上端近傍には、図２に示すように、ロック及びロック解除操作する操作部２４が設けられ、操作部２４を操作するキャスター操作レバー２４１が背面板２３の空洞部２３1内に設けられている。
【００１１】
通常、このキャスター操作レバー２４１は、図２に等に示されるように、操作部２４を中心に回動して下がっていき、この状態では、図１、図２の底面図である図３に示す底面板２６の底面部２６１に取り付けられた４個(複数)の双輪キャスター６１をロック状態に維持している。
キャスター付スツール１を移動する場合には、使用者がキャスター操作レバー２４１を上方に挙げれば、操作部２４では、操作ケーブル２４２から分岐盤２４４で分岐ケーブル２４５を介して、各双輪キャスター６１のロックを一括して同時に解除し、キャスター付スツール１は旋回可能で車輪のロックも解除されいるので自由に移動が可能となる。また、キャスター操作レバー２４１を操作者の手から離せば、キャスター操作レバー２４１は内部のバネ等で自動的に上方に戻り、自動的に一括して同時に４個の双輪キャスターをロックして、キャスター付スツール１を床に固定状態となる。
【００１２】
このような１人用のキャスター付スツール１とする場合に、図４に示すように、収納引出部４が枠体２の外に不用意に飛び出さないように、枠体２側の底面部２６１の先端部２４２の左右両端と、これに対向する収納引出部４の底面部４４の所定箇所に軽い力で解除可能な引出ロック機構７が設けられている。このロック機構７は、図４及び図８に示すように、弾力のある合成樹脂で作られた挿入部分７１と受け部分７２とから構成され、使用者の通常の力で収納引出部４を引っ張り出せば図８のように引出ロック機構７のロックが解除され、また、元の位置に収納させれば、図４のように両者が嵌合し、ロック状態を維持する。
【００１３】
[１人用のキャスター付スツールの収納引出部の使用の場合]
次に、１人用のキャスター付スツールの収納引出部の使用の場合を図１(ｂ)、図５から図８を参照しながら説明する。
図１(ｂ)は左側斜視図に示される収納引出部４の第１の前面板４１１の引出把持部４２を引き出して、前述したように、引出ロック機構７の挿入部分７１と受け部分７２とを引き離してロック状態を解除し(図８参照)、図５及び図６に示すようにすると、収納引出部４が枠体１から離れて引き出され、キャスター付スツール１の固定座部３を使用しながら、収納引出部４の中から必要な物品を出し入れすることができる。
【００１４】
この際、図７に示すように、収納引出部４側の底面部４４の底面４４１には２本の平行で、枠体２の前面板２１及び背面板２３にも平行な長溝４５が設けられている。これに対向して枠体２の底面板２６の上面部２６２の所定位置に嵌合ピン２７設けられ、この長溝４５の所定の長さ嵌合ピン２７によって、収納引出部４が所定以上に引き出されないように移動阻止機構を構成している。
また、図８に示すように、収納引出部４の底面部４４の適所には、左右に１対の比較的小さな単輪キャスター６２が設けられ、更に、枠体２側の上面部２６２の先端部２４２には左右に１対の大きな回動球体が嵌め込まれた滑り用回動ボール２８が、収納引出部４の底面部４４の底面４４１との間に設けられている。これらの単輪キャスター６２と滑り用回動ボール２８により、収納引出部４はスムースに進退自在に移動することができる。
【００１５】
[２人用のキャスター付スツールとして使用の場合]
次に、２人用のキャスター付スツールを使用の場合を、図７から図９を参照しながら説明する。
収納引出部４の前面部４１には回動自在の第１の前面板４１１と、その裏側にはクッション４１２が設けられて回動座部５が形成されている。第１の前面板４１１の背後には、更に収納引出部４に対して固定され、収納部の前面板になる第２の前面板４１４が設けられている。
前記回動座部５は収納引出部４の前面部４１、すなわち第１の前面板４１１の上端の上端部４１３には、上端部４１３を中心として、第１の前面板４１１が反転回動する回動機構８が設けられ、この回動機構８はゆっくり回転するようなロータリダンパ８１が用いられ、一方を収納引出部４の左右の側面板４６に固定し、他方を第１の前面板４１１の左右両端に支持している。
【００１６】
したがって、２人用のキャスター付スツールとして使用する場合は、先ず、収納引出部４には引き出し、移動を阻止する移動阻止機構(２７,４５) が働くまで目一杯引出し、次に図９(ａ)に示すように、第１の前面板４１１の下側の反転把持部４３を把持して、図９(ｂ)に示すように下部を持ち上げ、図９(ｃ)に示すように第１の前面板４１１の裏側のクッション４１２が上側になるように反転回動し、図９(ｄ)に示すように固定座部３と回動座部５を並べて固定する。
この回動座部５の幅、すなわち、第１の前面板４１１及びクッション４１２の幅(図８で左右幅)は、収納引出部４が目一杯引き出された状態での固定座部側面３２までの幅とほぼ一致させているので、移動阻止機構(２７,４５) が収納引出部４の前進を阻止し、回動座部５を反転回動した回動座部側面５１が後退を阻止するので、両者で回動座部５の進退を阻止し、結果とて固定座部を固定している。
こうして、スツールがさらに必要な場合でも、１人用のキャスター付スツールを２座席のスツールとすることができ、スツールが小型であるので狭い病室等にも常備できる。
【００１７】
以上のように、本発明のキャスター付スツールの実施例によれば、１人用のキャスター付スツールとして使用でき、この場合は、キャスター付スツールの固定座部を使用しながら、収納引出部を側部から引き出すことができ、開口面積を大きくすることが可能な上部開口から必要な物品を出し入れすることが容易となる。
また、複数のキャスターを一括して同時にロック及びロック解除操作を行うキャスター操作レバーを設けているので、スツールの移動と固定が簡単となる。
更に、スツールが必要な場合でも、２座席用キャスター付スツールとして使用可能となり、特に、狭い病室等にも、必要であれば２座席用のキャスター付スツールとして常備できる。
具体的には、収納引出部の引出側の底部には１対のキャスターを設けので、僅かな力でスムースに引き出すことができ、収納引出部と固定座部の枠体とにロック機構を設けたので収納引出部が不意に出るようなことを防止することができ、回動座部は収納引出部の前面部の上部先端を中心に回動する回動機構を設けたので、簡単に収納引出部の上部開口を蓋を兼ねた２人用の座部とすることができ、回動座部を単に反転回動して固定座部と回動座部とを並べるだけで、固定座部を固定して、簡単に２人用のキャスター付スツールとすることができる。
なお、本発明の特徴を損なうものでなければ、上記の実施例に限定されるものでないことは勿論である。
【符号の説明】
【００１８】
１・・キャスター付スツール、
２・・枠体、２１・・前面板、２２・・右側面板、２３・・背面板、
２３１・・空洞部、
２４・・操作部、２４１・・キャスター操作レバー、  
２４２・・操作ケーブル、２４４・・分岐盤、２４５・・分岐ケーブル、
２６・・底面板、２６１・・底面部、２６２・・上面部、
２７・・嵌合ピン(移動阻止機構)、２８・・滑り用回動ボール、
３・・固定座部、３１・・クッション、３２・・固定座部側面、
４・・収納引出部、４１・・前面部、４１１・・第１の前面板(回動座部)、
４１２・・クッション(回動座部)、４１３・・上端部、
４１４・・第２の前面板、
４２・・引出把持部、４３・・反転把持部、
４４・・底面部、４４１・・底面、
４５・・長溝(移動阻止機構)、４６・・側面板、
５・・回動座部、５１・・回動座部側面、
６１・・双輪キャスター、６２・・単輪キャスター、
７・・引出ロック機構、７１・・挿入部分、７２・・受け部分、
８・・回動機構、 ８１・・ロータリダンパ
【図１】
2014239899.tif 000003
【図２】
2014239899.tif 000004
【図３】
2014239899.tif 000005
【図４】
2014239899.tif 000006
【図５】
2014239899.tif 000007
【図６】
2014239899.tif 000008
【図７】
2014239899.tif 000009
【図８】
2014239899.tif 000010
【図９】
2014239899.tif 000011